(57)【特許請求の範囲】
【請求項１】
両端を開口端とする本体の内部にインキ貯蔵部を有し、本体一方端を尾栓により密閉嵌合固定し、他端にペン芯を嵌合固定したペン芯ホルダーを着脱自在に嵌合保持し、更には不使用時にはペン芯ホルダー保持側の本体と着脱自在なキャップを有する筆記具において、キャップの外筒の開口端外周の平面に前記ペン芯ホルダーに着脱自在に把握保持でき、前記ペン芯ホルダーを着脱自在とした切欠部を設けたことを特徴とする筆記具。
【請求項２】
両端を開口端とする本体の内部にインキ貯蔵部を有し、本体一方端を尾栓により密閉嵌合固定し、他端にペン芯を嵌合固定したペン芯ホルダーを着脱自在に嵌合保持し、更には一方を閉塞端、他方を開口端とする内筒、両端を開口端とし内部に前記内筒を保持部材により保持する外筒よりなるキャップの外筒の平面に前記ペン芯ホルダーを着脱自在とした切欠部を設けたことを特徴とする筆記具。
【発明の詳細な説明】
【０００１】
【産業上の利用分野】
本願発明は、筆記具のペン芯を前記筆記具に付随するキャップにより着脱自在にした筆記具に関するものである。また本発明の筆記具は、インキを吸蔵体に含侵させたもの、及びインキを液状のまま保持した筆記具に関するものである。
【０００２】
【従来の技術】
フェルトペン芯、プラスチックペン芯、ボールチップ芯といったペン芯を筆記具本体から離脱可能とした筆記具としては、実公昭５１−１４２６２号、実公昭５２−２５０４号、実公昭５２−４６１７５号などが知られている。このような筆記具はペン芯を交換することができるし、また、ペン芯を外したのちインクの補充をすることができる。
【０００３】
しかし、ペン芯を直接つかむため傷んでしまい、ペン芯を再利用することはほとんど不可能だった。そこで、前記ペン芯をホールドするペン芯ホルダーを筆記具本体から離脱可能とした筆記具が発明され、実公昭６２−５３５３号などが公知となっている。このような筆記具はペン芯を傷めることなく交換することができるし、また、ペン芯ホルダーを外したのちインクの補充をすることができる。しかしながら、ペン芯ホルダーと筆記具本体とをねじ嵌合するなど構造が複雑であって、不便なものであった。
【０００４】
また、本願出願人と同じの特開２０００−３４３８８０号がある。特開２０００−３４３８８０号は、シングルキャップであり、閉塞端部でペン芯ホルダーと嵌合保持して着脱させている。こうした構成であると、特にペン芯が太く大きなものはペン芯ホルダー自体の径が太くなり閉塞端部にペン芯ホルダーを保持する切欠部を設けることが困難であるばかりでなく、概観上も設けられたとしてもデザイン的に規制される筆記具となる。
【０００５】
【発明が解決しようとする課題】
こうしたことから本発明は上記課題を克服し、容易な手段でペン芯ホルダーを本体から離脱できる筆記具を提供する。特にどんな径のペン芯、ひいてはペン芯ホルダーをも対応可能とする。
【０００６】
【課題を解決するための手段】
両端を開口端とする本体の内部にインキ貯蔵部を有し、本体一方端を尾栓により密閉嵌合固定し、他端にペン芯を嵌合固定したペン芯ホルダーを着脱自在に嵌合保持し、更には不使用時にはペン芯ホルダー保持側の本体と着脱自在なキャップを有する筆記具において、キャップの外筒の開口端外周に前記ペン芯ホルダーに着脱自在に把握保持でき、前記ペン芯ホルダーを着脱自在とした切欠部を設けたことを特徴とする筆記具であったり、両端を開口端とする本体の内部にインキ貯蔵部を有し、本体一方端を尾栓により密閉嵌合固定し、他端にペン芯を嵌合固定したペン芯ホルダーを着脱自在に嵌合保持し、更には一方を閉塞端、他方を開口端とする内筒、両端を開口端とし内部に前記内筒を保持部材により保持する外筒よりなるキャップの外筒に前記ペン芯ホルダーを着脱自在とした切欠部を設けたことを特徴とする筆記具である。
【０００７】
【実施例】
本発明の第１の実施例を図１、図２、図３、図４、図５より詳細に説明する。
１は、インキ吸蔵体であり、インキを含侵している。材質は、化学繊維を使用しており、特に構成上は材質の指定はないが、インキとの相性により選定される。
【０００８】
２は、筒状の本体であり、両端を開口端としており、一方端にペン芯ホルダー３を着脱自在に嵌着しており、他方端には気密保持を有する尾栓４を嵌合固定している。更に、前記本体２の内部にはインキを含侵したインキ吸蔵体１を保持している。インキ吸蔵体１は尾栓４の内面と本体２内部に設けられたリブにより固定保持されている。
【０００９】
３は、筒状のペン芯ホルダーであり、中央にペン芯５を挿嵌しており、ペン芯５の首６によりペン芯ホルダー上端面で位置が固定される。ペン芯ホルダー３の一方の開口端外周面には嵌合保持部７が設けられている。前記嵌合保持部７は、環状リブが２本平行に設けられリング状の凹部８を有している構成である。本発明ではリング状の凹部８がどのような形でも設けられていれば良い。
【００１０】
本実施例のペン芯５は、合成繊維芯であり、先端をチズルカットとしているが特にペン芯構造は問わない。。
また、前記ペン芯ホルダー３の外周面と本体２の小口開口端１４の内周面に空気流通路を設けて本体２内の空気とキャップ内の空気及びキャップ９着脱時の外気との空気流通を確保する。特に本体２内の空気流通路を設ける方法は、ペン芯５の表面に縦溝として設けても良い。
【００１１】
４は、一方を閉塞端、他方を開口端とした筒状の尾栓であり、前記閉塞端の内面でインキ吸蔵体１を保持して、前記尾栓の開口端近傍の外周面と本体２のペン芯ホルダー３を嵌着した反対側の内面と気密嵌合する。
【００１２】
９は、一方を閉塞端とし、他方端を開口端としたキャップであり、本体２の気密帯１０により、キャップの気密帯１０と気密当接する。前記開口端の端面には切欠部１１を有しており、切欠部１１が設けられている部分は平面１５となっている。前記切欠部１１は、ペン芯ホルダー３に設けた凹部８と当接嵌合する。ここで、前記切欠部１１の長さＴと凹部８の直径Ｓは一致することによって、キャップ９の切欠部１１はペン芯ホルダー３を把握保持することが出来る。
【００１３】
次に第１の実施例に基づくペン芯ホルダー３の着脱方法について、詳細に説明する。
ペン芯ホルダー３は、円形の外観であり、キャップ９の切欠部１１も平面に設けられたものである。
先ず、前記キャップ９を取り外し、切欠部１１をペン芯ホルダー３の凹部８に挿嵌し、筆記具の軸線方向にひき抜く。すると本体２よりペン芯５付きペン芯ホルダー３が抜き取られる。抜き取られたペン芯ホルダー３の外周面を指等で保持し、キャップ９の切欠部１１から抜き取る。
【００１４】
更に、新しいペン芯付きペン芯ホルダー３をキャップ９の切欠部１１に嵌め込み、本体２の軸線に沿って本体２の小口開口端１４に嵌合固定される。その後、先ほどの本体２の軸線に垂直方向にキャップ９を離すと、キャップ９とペン芯ホルダー３の嵌入が外れ、筆記具は使用可能となる。
【００１５】
次にペン芯ホルダー３３が四角形の場合、切欠部１１は平面に設けられており、凹部８８も四角形であるとするとこの四角形の対角との距離Ｌと前記切欠部１１の長さＴは同一である。
したがって、凹部８８の四角形の対角線に切欠部１１を挿嵌させ軸線に沿ってキャップをひき抜くとペン芯付きペン芯ホルダー３３を抜き取ることが出来る。
【００１６】
更に、多角形の場合は、多角形が内接する円を架空に描いて、その直径と切欠部１１、１１１の長さＴが前記円の直径と同一ならば本発明を満足するものである。
抜き取られたペン芯ホルダー３３を指等で保持し、キャップ９の切欠部１１から抜き取る。ここで、ペン芯ホルダー３、３３及び切欠部１１の形状については、円形、四角形としてきたが凹部と切欠部が挿嵌できれば、特にその形状は問わない。
【００１７】
本願発明の第２の実施例を図６、図７、図８により詳細に説明する。
本実施例のキャップ９９は、内筒１２と外筒１３がリブ等により連結されたキャップであり、内筒１２は、一方を閉塞端として他方を開口端としており、ペン芯の気密を保持する。また前記外筒１３は、両端を開口端とした筒状としており、少なくともどちらか一方の開口端に切欠部１１１を設けており、その設けた部分は平面１５としている。前記内筒１２の開口端近傍に気密保持する気密帯１００を設け、本体２の小口開口端１４の気密帯１００と気密保持する。
ペン芯ホルダー３の着脱方法は第１の実施例と同様である。
【００１８】
【効果】
以上のような構成であるので、容易な手段でペン芯ホルダーを本体から離脱でき、新しいペン芯、またはタイプの異なるペン芯を交換可能な筆記具を提供可能となる。
特に、キャップ９の切欠部９の長さＴとペン芯ホルダー３の凹部８の直径Ｓ、対角距離Ｌの関係が同一であればどんな径のペン芯、ひいてはペン芯ホルダーをも対応可能とする。
【００１９】
【図面の簡単な説明】
【図１】本発明の実施例の正面断面図。
【図２】本発明の第１の実施例のキャップ正面図。
【図３】本発明の第１の実施例の本体一部省略正面図。
【図４】本発明の第１の実施例のペン芯ホルダー取り外し初期説明図。
【図５】本発明の第１の実施例のペン芯ホルダー取り外し後説明図。
【図６】本発明の第２の実施例のキャップ断面図。
【図７】本発明の第２の実施例のキャップ正面図。
【図８】本発明の第２の実施例のペン芯ホルダーが四角形のペン芯ホルダー取り外し説明図。
【符号の説明】
１  ：インキ吸蔵体
２  ：本体
３  ：ペン芯ホルダー
４  ：尾栓
５  ：ペン芯
６  ：首
７  ：嵌合保持部
８  ：凹部
９  ：キャップ
１０  ：気密帯
１１  ：切欠部
１２  ：内筒
１３  ：外筒
１４  ：小口開口端
【図１】
0004633966.tif 000002
【図２】
0004633966.tif 000003
【図３】
0004633966.tif 000004
【図４】
0004633966.tif 000005
【図５】
0004633966.tif 000006
【図６】
0004633966.tif 000007
【図７】
0004633966.tif 000008
【図８】
0004633966.tif 000009